(57)【要約】細隙灯顕微鏡について照明用電源ケーブルのメンテナンス性を向上しつつケーブル配線が外観上煩雑にならないようにする。 細隙灯顕微鏡１の照明用支持アーム６に照明用電源ケーブル１３を外部に露出する状態で照明用支持アーム６の外表面に沿って配置する溝状のケーブル保持部６ｆを設ける。これにより照明用電源ケーブル１３に断線等の不具合が生じた場合でも容易に照明用電源ケーブル１３を交換可能でありメンテナンス性を向上することができる。また、照明用電源ケーブル１３は溝状のケーブル保持部６ｆに沿って配線されるため、外観が整然としたデザインの細隙灯顕微鏡１となる。【選択図】図１
2018189873.tif 000002
【特許請求の範囲】
【請求項１】
被検眼を照らす照明ユニットと、
前記照明ユニットを取付ける照明用支持アームと、
前記照明用支持アームを取付ける支持台と、
前記支持台側から前記照明ユニットにかけて前記照明用支持アームに沿って配線する照明用電源ケーブルとを備える細隙灯顕微鏡において、
前記照明用支持アームは、前記照明用電源ケーブルを外部に露出する状態で前記照明用支持アームの外表面に沿って配置する溝状のケーブル保持部を有することを特徴とする細隙灯顕微鏡。
【請求項２】
前記ケーブル保持部は、その内部に配置した前記照明用電源ケーブルを抜け止めする係止部を有する請求項１記載の細隙灯顕微鏡。
【請求項３】
前記照明用支持アームは、前記支持台に取付けられるアーム本体部と、前記アーム本体部から前記照明ユニットに伸長する少なくとも１本の柱状のシャフトとを有しており、
前記ケーブル保持部は、前記アーム本体部に設ける第１の溝状保持部と、前記シャフトに設ける第２の溝状保持部とを有する請求項１又は請求項２記載の細隙灯顕微鏡。
【請求項４】
前記第１の溝状保持部は、前記アーム本体部の外面に形成され、前記第１の溝状保持部の溝底面と溝側面とを形成する段部と、前記段部の前記溝側面と対向する溝側面を形成するする保持プレートとを有する請求項３記載の細隙灯顕微鏡。
【請求項５】
前記第２の溝状保持部は、前記シャフトの長手方向に沿う保持溝を有しており、
前記保持溝には前記照明用電源ケーブルを緩やかに曲げて導入する導入傾斜面を有する請求項３記載の細隙灯顕微鏡。
【請求項６】
前記アーム本体部と前記シャフトとの間に、前記照明用電源ケーブルの撓み変形を許容する変形許容溝を有する請求項３〜請求項５何れか１項記載の細隙灯顕微鏡。
【請求項７】
被検眼を観察する顕微鏡ユニットと、
先端側が前記顕微鏡ユニットに取付けられ、基端側が前記支持台に取付けられる顕微鏡用支持アームとをさらに備えており、
前記顕微鏡用支持アームは、被検眼を照らす背景照明用光源を有する請求項１〜請求項６何れか１項記載の細隙灯顕微鏡。
【請求項８】
前記背景照明用光源は、前記照明用支持アームの対向位置に配置されている請求項７記載の細隙灯顕微鏡。
【請求項９】
前記顕微鏡用支持アームが中空筒状の内部空間を有しており、
前記支持台側から前記背景照明用光源にかけて前記顕微鏡用支持アームの前記内部空間に沿って配線する背景照明用電源ケーブルを備える請求項７又は請求項８記載の細隙灯顕微鏡。
【請求項１０】
前記支持台に対して前記照明用支持アームを水平方向に回動可能とする旋回軸をさらに備えており、
前記旋回軸は、前記照明用支持アームの回動範囲を規制する回動規制部を有する請求項１〜請求項９何れか１項記載の細隙灯顕微鏡。
【請求項１１】
前記支持台の前記旋回軸の上方に置き型式トノメータを備える請求項１０記載の細隙灯顕微鏡。
【発明の詳細な説明】
【技術分野】
【０００１】
本発明は、被検眼をスリット光で照射して観察を行う細隙灯顕微鏡に関する。
【背景技術】
【０００２】
細隙灯顕微鏡は、スリットランプマイクロスコープとも呼ばれ、眼科分野において被検眼の状態を観察するために広く用いられている。こうした従来の細隙灯顕微鏡は、被検眼にスリット光を照射する照明ユニットと被検眼を観察する顕微鏡ユニットとを備えている。照明ユニットと顕微鏡ユニットは、それぞれ照明用支持アームと顕微鏡用支持アームとを有しており、それらは共通の旋回軸によってそれぞれ独立して水平に回動可能に連結されている。そして照明ユニットから旋回軸上に照射されるスリット光の焦点面と顕微鏡の焦点面とが一致することで、被検眼に対して任意の角度で照明及び観察を行うことができるというものである。【０００３】
スリット光を照射する光源は照明ユニットに内蔵しており、照明ユニットに内蔵する照明用の光学系を介して下方へ照射され、照明用支持アームに取付けられた反射鏡によって反射されて被検眼に照射される。その照明ユニットに内蔵する光源への電力の供給は、被検者を固定する顎受けユニットの上方から照明ユニットへと照明用電源ケーブルを宙づりに架設して接続するものが知られている（特許文献１）。また、照明用電源ケーブルを装置の外部に露出させることなく、中空筒状の照明用支持アームの内部空間を挿通することで照明ユニットの光源に接続するものも知られている（特許文献２）。さらに特許文献２については、照明用電源ケーブルのみならず、顕微鏡ユニットで観察する際に使用する背景照明用光源に接続する背景照明用電源ケーブルも一緒に照明用支持アームの内部を挿通することで配線するようにしている。
【先行技術文献】
【特許文献】
【０００４】
【特許文献１】特開２０１４−３３８１２号公報、図１
【特許文献２】特開２０１６−６７８１８号公報、図３
【発明の概要】
【発明が解決しようとする課題】
【０００５】
以上のように従来の細隙灯顕微鏡では、照明用電源ケーブルの配線形態として様々なものが知られているが、特許文献１のように照明用電源ケーブルを顎受けユニットの上部から照明ユニットに宙づりにして架設して配線する細隙灯顕微鏡では、観察時に邪魔になるおそれがあり外観上も煩雑である。特許文献２は、こうした特許文献１の課題を解決しうるものであるが、照明用支持アームの内部に照明用電源ケーブルを挿通してあると、例えばスリット光の照射に異常が生じた場合に、照明用支持アームの内部から抜き出さなければ、照明用電源ケーブルの外観状態を確認したり、交換ができないという問題がある。異常がなく定期点検を行う際にも同様の問題がある。細隙灯顕微鏡による検査は眼科診療で必要不可欠な検査であるため、装置を使用できない期間は極力短くすべきである。【０００６】
以上のような従来技術を背景になされたのが本発明である。その目的は、細隙灯顕微鏡について照明用電源ケーブルのメンテナンス性を向上しつつケーブル配線が外観上煩雑にならないようにすることにある。
【課題を解決するための手段】
【０００７】
上記目的を達成すべく本発明は以下の特徴を有するものとして構成される。【０００８】
本発明は、被検眼を照らす照明ユニットと、前記照明ユニットを取付ける照明用支持アームと、前記照明用支持アームを取付ける支持台と、前記支持台側から前記照明ユニットにかけて前記照明用支持アームに沿って配線する照明用電源ケーブルと、を備える細隙灯顕微鏡について、前記照明用支持アームは、前記照明用電源ケーブルを外部に露出する状態で前記照明用支持アームの外表面に沿って配置する溝状のケーブル保持部を有することを特徴とする。【０００９】
本発明によれば、照明用支持アームは、前記照明用電源ケーブルを外部に露出する状態で照明用支持アームの外表面に沿って配置する溝状のケーブル保持部を有するため、照明用電源ケーブルに断線等の不具合が生じた場合でも容易に照明用電源ケーブルを交換することができメンテナンス性を向上することができる。また、照明用電源ケーブルは細隙灯顕微鏡の装置外観に沿って、即ち溝状のケーブル保持部に沿って配線されるため、従来の細隙灯顕微鏡のように照明用電源ケーブルを宙づりに架設して配線する必要がなく、外観が整然としたデザインの細隙灯顕微鏡を実現することができる。【００１０】
前記ケーブル保持部については、その内部に配置した前記照明用電源ケーブルを抜け止めする係止部を有するように構成できる。【００１１】
本発明によれば、ケーブル保持部が係止部を有するので、照明用電源ケーブルを確実に保持することができる。【００１２】
前記照明用支持アームについては、前記支持台に取付けられるアーム本体部と、前記アーム本体部から前記照明ユニットに伸長する少なくとも１本の柱状のシャフトとを有しており、前記ケーブル保持部については、前記アーム本体部に設ける第１の溝状保持部と、前記シャフトに設ける第２の溝状保持部とを有するように構成できる。【００１３】
本発明によれば、照明用支持アームを、前記支持台に取付けられるアーム本体部と、前記アーム本体部から前記照明ユニットに伸長する少なくとも１本の柱状のシャフトとを有するものとして構成することができる。このように照明用支持アームを構成しても、前記ケーブル保持部は、前記アーム本体部に設ける第１の溝状保持部と、前記シャフトに設ける第２の溝状保持部として構成することができるので、照明用電源ケーブルを露出させたまま照明用支持アームに沿って保持することができる。【００１４】
前記第１の溝状保持部については、前記アーム本体部の外面に形成され、前記第１の溝状保持部の溝底面と溝側面とを形成する段部と、前記段部の前記溝側面と対向する溝側面を形成する保持プレートとを有するように構成できる。【００１５】
本発明によれば、第１の溝状保持部が、前記アーム本体部の外面に形成され、前記第１の溝状保持部の溝底面と溝側面とを形成する段部と、前記段部の前記溝側面と対向する溝側面を形成する保持プレートとを有するため、アーム本体部の形状が直線状ではなく屈曲部分を有するような形状であっても、アーム本体部の段部に保持プレートを沿わせることで第１の溝状保持部を形成することができる。こうした第１の溝状保持部によって照明用電源ケーブルを露出させたままアーム本体部に沿って保持することができる。【００１６】
前記第２の溝状保持部については、前記シャフトの長手方向に沿う保持溝を有しており、前記保持溝には前記照明用電源ケーブルを緩やかに曲げて導入する導入傾斜面を有するように構成できる。【００１７】
本発明によれば、第２の溝状保持部が、シャフトの長手方向に沿う保持溝を有するため、照明用電源ケーブルを露出させたままシャフトに沿って保持することができる。保持溝には照明用電源ケーブルを緩やかに曲げて導入する導入傾斜面を有するため、照明用電源ケーブルを保持溝に向けて急激に屈曲させることなく緩やかに導入することができることから照明用電源ケーブルを保護することができる。【００１８】
前記本発明については、前記アーム本体部と前記シャフトとの間に、前記照明用電源ケーブルの撓み変形を許容する変形許容溝を有するように構成できる。【００１９】
本発明によれば、アーム本体部とシャフトとの間に変形許容溝を有するので、照明用電源ケーブルをその位置でスムーズに撓み変形させることができる。こうした構造は、特にアーム本体部の中心軸とシャフトの中心軸とがクランク状にずれている場合に有効である。アーム本体部からシャフトに照明用電源ケーブルをクランク状に撓ませて配線する必要があるからである。また、アーム本体部に対してシャフトが可動である場合にも有効である。即ち、シャフトがアーム本体部に対して移動すると、不動状態のアーム本体部に固定した照明用電源ケーブルの部分に対して、シャフトに固定した照明用電源ケーブルの部分は移動する。この場合に本発明であれば上記変形許容溝の内部でスムーズに照明用電源ケーブルを撓み変形させることができるので、シャフトの移動もスムーズに行うことができる。【００２０】
前記本発明については、被検眼を観察する顕微鏡ユニットと、先端側が前記顕微鏡ユニットに取付けられ、基端側が前記支持台に取付けられる顕微鏡用支持アームとをさらに備えており、前記顕微鏡用支持アームは、被検眼を照らす背景照明用光源を有するように構成できる。【００２１】
背景照明は、照明ユニットからスリット光を被検眼に照射した際に、スリット光のみで照射した箇所は明瞭になるものの、それ以外の周辺部は暗くなってしまい、それにより疾患の位置が分かりにくくなるため、スリット光とは別の光路から被検眼を照射するものである。この背景照明には様々な方式があり、例えば照明ユニットに光源を配置するものが知られている（一例として特許文献２）。しかしながら背景照明の光源を照明ユニットに配置すると、照明ユニットの位置によって背景照明の被検眼への照射角度が影響を受けてしまう。【００２２】
これに対して前述の本発明であれば、顕微鏡ユニットを支持する顕微鏡用支持アームが被検眼を照らす背景照明用光源を有するため、顕微鏡ユニットで被検眼を観察する正面から背景照明光を均一に照射することができるため、正確な観察を行うことができる。【００２３】
前記背景照明用光源については、前記照明用支持アームの対向位置に配置するように構成できる。【００２４】
背景照明の光量調整には光量を物理的に絞る機構と、電気的に調光する回路を設けている場合があるが、例えば徹照法のように観察方法によっては背景照明を不要とする場合もあり、その場合には背景照明の点灯、消灯を観察者がその都度操作しなければならず煩雑となってしまう。【００２５】
これに対して本発明によれば、背景照明用光源が照明用支持アームに対向位置するので、徹照法のような背景照明を不要とする場合には背景照明用光源が照射する光を照明用支持アームによって遮断することができ、観察者が背景照明用光源をその都度点灯、消灯する煩雑な操作を省略することができ、観察をストレスなくスムーズに行うことができる。【００２６】
前記本発明については、前記顕微鏡用支持アームが中空筒状の内部空間を有しており、前記支持台側から前記背景照明用光源にかけて前記顕微鏡用支持アームの前記内部空間に沿って配線する背景照明用電源ケーブルを備えるように構成できる。【００２７】
本発明によれば、照明用電源ケーブルと背景照明用電源ケーブルとを別々に配線することができるため、それぞれメンテナンスを容易に行うことができる。また、背景照明用電源ケーブルを顕微鏡用支持アームの内部空間に配線しており外部に露出しないので、外観が整然としたデザインの細隙灯顕微鏡を実現することができる。【００２８】
前記本発明については、前記支持台に対して前記照明用支持アームを水平方向に回動可能とする旋回軸をさらに備えており、前記旋回軸は、前記照明用支持アームの回動範囲を規制する回動規制部を有するように構成できる。【００２９】
細隙灯顕微鏡は、被検眼を正面にして照明ユニット、顕微鏡ユニットがそれぞれ左右９０°以上水平方向に旋回できるようにされている。円錐角膜患者のような角膜の形状に変化がある疾患の場合は、顕微鏡ユニットを旋回させて細隙灯顕微鏡の側面に配置して観察を行う場合があるが、この場合に照明ユニットの位置によって支持台より上に配置されている全体の重心が被検者側に移動し、細隙灯顕微鏡が被検者側に傾斜するおそれがある。【００３０】
これに対して本発明では、照明用支持アームが旋回軸により水平方向に回動可能としつつ、回動規制部によりその回動範囲が規制されるので、照明用支持ユニットが回動することで被検者に接触する危険性を軽減することができる。【００３１】
前記本発明については、前記支持台の前記旋回軸の上方に置き型式トノメータを備えるように構成できる。【００３２】
前記本発明の細隙灯顕微鏡では、照明用電源ケーブルを照明用支持アームの内部空間に挿通させずに照明用支持アームの外表面に沿って配置するため、旋回軸の上方から照明用支持アームとの間にスペースを確保することができ、置き型式トノメータを設置することができる。
【発明の効果】
【００３３】
本発明の細隙灯顕微鏡によれば、照明用電源ケーブルのメンテナンス性が良く且つ照明用電源ケーブルを整然と配線することができる。
【図面の簡単な説明】
【００３４】
【図１】一実施形態による細隙灯顕微鏡の右側面、背面、平面を含む斜視図。
【図２】図１の細隙灯顕微鏡の正面中央縦概略断面図。
【図３】図１の照明ユニット、照明用支持アーム、滑動台ベースを示す背面図。
【図４】図１のシャフトを示す図で、分図（ａ）は背面図、分図（ｂ）は正面中央縦断面図、分図（ｃ）は分図（ａ）ＩＶ−ＩＶ線に沿う拡大断面図。
【図５】図１の保持プレートの右側面図。
【図６】図５のＶＩ−ＶＩ線に沿う第２の溝状保持部の断面図。
【図７】図１の細隙灯顕微鏡について保持プレートを取り外した状態での接続用空洞部からケーブル保持部への照明用電源ケーブルの配線状態を示す部分拡大斜視図。
【図８】図１の細隙灯顕微鏡に内蔵する旋回軸を示す図で、分図（ａ）は右側面図、分図（ｂ）は照明用支持アーム、顕微鏡用支持アームを９０°回動させた状態を示す右側面図、分図（ｃ）は照明用支持アームと顕微鏡支持アームを正面から反対方向に９０°回動させた状態を示す平面図。
【図９】図１の細隙灯顕微鏡に光源流用型背景照明装置を装着した状態を示す右側面、背面、平面を含む要部拡大斜視図。
【図１０】図１の細隙灯顕微鏡に置き型式トノメータを取付けた状態を示す右側面、背面、平面を含む斜視図。
【図１１】第１の溝状保持部の変形例を示す図６相当の断面図。
【図１２】第２の溝状保持部の変形例を示す図４（ｃ）相当の断面図。
【発明を実施するための形態】
【００３５】
以下、本発明の細隙灯顕微鏡の一実施形態について図面を参照しつつ説明する。本明細書、特許請求の範囲では、説明の便宜上、細隙灯顕微鏡の正面における左右方向及び幅方向をＸ方向、前後方向及び奥行き方向をＹ方向、上下方向及び高さ方向をＺ方向として説明する。
【００３６】
〔細隙灯顕微鏡の全体構造〕
細隙灯顕微鏡１は、架台２、滑動台ベース３、顕微鏡用支持アーム４、顕微鏡ユニット５、照明用支持アーム６、照明ユニット７、顎受けユニット８を備えて構成されている。
【００３７】
架台２は、平板状に形成されており、その上面には滑動台ベース３と顎受けユニット８とが設置される。
【００３８】
滑動台ベース３は、本発明の「支持台」を構成するものであり、ベース本体９と、駆動部１０と、旋回軸１１とを有している。
【００３９】
ベース本体９は、その内部に調光回路を有する基板１２を備えており、この基板１２には照明用電源ケーブル１３と背景照明用電源ケーブル１４とが接続されている。
【００４０】
ここで照明用電源ケーブル１３は、基板側ケーブル１３ａと、照明ユニット側ケーブル１３ｂとで構成されており、基板側ケーブル１３ａに備えるコネクタ１３ａ１と照明ユニット側ケーブル１３ｂに備えるコネクタ１３ｂ１とを導通接続することで、基板１２から照明ユニット７に電力を供給する。基板側ケーブル１３ａのコネクタ１３ａ１は、図２で示すように、後述する照明用支持アーム６の基端のケーブル保護筒６ａが突出する接続用空洞部６ｂ２に配置されており、ここで照明ユニット側ケーブル１３ｂのコネクタ１３ｂ１と導通接続される。照明ユニット側ケーブル１３ｂは、図７で示すように、接続用空洞部６ｂ２とケーブル保持部６ｆとの境に位置する連通孔６ｂ３からケーブル保持部６ｆに導入される。接続用空洞部６ｂ２は照明用支持アーム６の底面に対して着脱可能である蓋６ｂ４によって開閉可能とされており、配線やメンテナンスに必要な作業を容易に行えるようにしている。
【００４１】
また、背景照明用電源ケーブル１４も、照明用電源ケーブル１３と同様に、基板側ケーブル１４ａと背景照明ユニット側ケーブル１４ｂとで構成されており、基板側ケーブル１４ａに備えるコネクタ１４ａ１と照明ユニット側ケーブル１４ｂに備えるコネクタ１４ｂ１とを導通接続することで、基板１２から背景照明ユニット１６に電力を供給する。
【００４２】
駆動部１０は、ジョイスティック１５を操作することでベース本体９をＸ方向、Ｙ方向に移動させる駆動機構を有する。
【００４３】
旋回軸１１は、円筒状に形成されており、その外周面には顕微鏡用支持アーム４の下部取付部１１ａと、照明用支持アーム６の上部取付部１１ｂとが形成されている。旋回軸１１は、ベース本体９のハウジング９ａの筒状収容部９ｂにボルト止めにより固定されている。下部取付部１１ａ、上部取付部１１ｂには、それぞれ可動孔１１ｃが形成されており、可動孔１１ｃは旋回軸１１の筒軸方向に沿うケーブル挿通孔１１ｄと連通している。前述した基板１２に接続されている照明用電源ケーブル１３の基板側ケーブル１３ａは、旋回軸１１の下端開口からケーブル挿通孔１１ｄに挿通され、上部取付部１１ｂの可動孔１１ｃに挿入されている照明用支持アーム６の基端から突出するケーブル保護筒６ａから照明用支持アーム６の内部に進入する。他方、背景照明用電源ケーブル１４の基板側ケーブル１４ａも、旋回軸１１の下端開口からケーブル挿通孔１１ｄに挿通され、下部取付部１１ａの可動孔１１ｃに挿入されている顕微鏡用支持アーム４の基端から突出するケーブル保護筒４ａから顕微鏡用支持アーム４の内部に挿通される。
【００４４】
顕微鏡用支持アーム４は、中空の角筒状に形成されており、旋回軸１１からＹ方向で前方に向けて伸長する第１伸長部４ｂと、第１伸長部４ｂの端部からＺ方向で上方に屈曲する屈曲部４ｃと、屈曲部４ｃからＺ方向で上方に伸長する第２伸長部４ｄとが形成されている。第１伸長部４ｂの基端には、前述の旋回軸１１の下部取付部１１ａの外周に回動可能に取付ける装着部４ｅが設けられており、装着部４ｅには可動孔１１ｃに挿入される前述のケーブル保護筒４ａが突出している。背景照明用電源ケーブル１４の基板側ケーブル１４ａのコネクタ１４ａ１と背景照明ユニット側ケーブル１４ｂのコネクタ１４ｂ１は、第１伸長部４ｂの内部で導通接続されている。顕微鏡支持アーム４には、図２で示すように、２つの蓋４ｆ１、４ｆ２が着脱可能に取付けられている。後述する背景照明ユニット１６や背景照明用電源ケーブル１４の点検や交換は、この蓋４ｆ１、４ｆ２を顕微鏡支持アーム４から取り外すことで容易に行うことができる。第２伸長部４ｄの上端には、被検眼を観察する顕微鏡ユニット５が装着されている。
【００４５】
また第２伸長部４ｄには、顕微鏡ユニット５の下側に背景照明ユニット１６が取付けられている。背景照明ユニット１６は、第２伸長部４ｄの外表面から突出しないように取付けられており、顕微鏡用支持アーム４の外観が整然となるようにデザイン性が高められている。背景照明ユニット１６は、背景照明用光源１６ａと光学系１６ｂとを備えている。そのうち背景照明用光源１６ａには、基板１２から旋回軸１１と顕微鏡用支持アーム４の内部を伸長する背景照明用電源ケーブル１４（背景照明ユニット側ケーブル１４ｂ）が接続されている。
【００４６】
照明用支持アーム６は、旋回軸１１からＹ方向で前方に突出し上方に屈曲して伸長するアーム本体部６ｂと、アーム本体部６ｂからＺ方向で上方に伸長する２本のシャフト６ｃ、６ｄとを備えている。
【００４７】
アーム本体部６ｂには、その基端に前述の旋回軸１１の上部取付部１１ｂの外周に回動可能に取付ける装着部６ｅが設けられており、装着部６ｅには可動孔１１ｃに挿入される前述のケーブル保護筒６ａが突出している。アーム本体部６ｂの上端部には反射鏡１７が装着されている。反射鏡１７と前述のシャフト６ｃ、６ｄの基端にはＸ方向に伸長する回動軸１８が設けられている。この回動軸１８によってアーム本体部６ｂに対して、シャフト６ｃ、６ｄを含む照明ユニット７と、アーム本体部６ｂと並列に伸長しておりシャフト６ｃ、６ｄの下端を支持する支持フレーム１９とをＸ軸周りに煽るように回動させることができる。２本のシャフト６ｃ、６ｄの上端は照明ユニット７の筐体７ａの下端部に対して固定されている。
【００４８】
以上のような照明用支持アーム６の外表面には、照明用電源ケーブル１３の照明ユニット側ケーブル１３ｂを保持する溝状のケーブル保持部６ｆが形成されている。ケーブル保持部６ｆは、アーム本体部６ｂの外表面に設けた第１の溝状保持部６ｇと、シャフト６ｃの外表面に設けた第２の溝状保持部６ｈを有している。
【００４９】
第１の溝状保持部６ｇは、アーム本体部６ｂの外表面に形成した段部６ｉと、段部６ｉに沿って取付けた保持プレート６ｊとによって形成されている。段部６ｉは、溝底面６ｉ１と溝側面６ｉ２とを有しており、保持プレート６ｊは段部６ｉの溝側面６ｉ２と対向する溝側面６ｊ１として構成されている。段部６ｉは、アーム本体部６ｂの基端側から上端に至るまで、アーム本体部６ｂの角部を内側に段状に凹ませて形成されている。保持プレート６ｊは、アーム本体部６ｂの屈曲形状に沿って段部６ｉの側方を覆う形状に形成されている。保持プレート６ｊには、照明ユニット側ケーブル１３ｂを抜け止めする「係止部」としての押さえ部６ｊ２が形成されている。保持プレート６ｊは金属薄板製であり、押さえ部６ｊ２は保持プレート６ｊの上縁側を段部６ｉ側に倒すように曲げることで形成している。その曲げ加工を容易にするために、保持プレート６ｊにはスリット６ｊ３が形成されている。なお、保持プレート６ｊは、アーム本体部６ｂの側面６ｂ１に対して着脱可能にネジ止めされている。
【００５０】
第２の溝状保持部６ｈは、シャフト６ｃの長手方向に沿う保持溝６ｋとして形成されている。保持溝６ｋの下端部には導入傾斜面６ｋ１が形成されており、照明用電源ケーブル１３の照明ユニット側ケーブル１３ｂを導入傾斜面６ｋ１に沿わせて緩やかに撓ませて保持溝６ｋに導入できるようになっている。したがって、照明ユニット側ケーブル１３ｂを保持溝６ｋに向けて急激に屈曲させることなく緩やかに導入することができることから照明ユニット側ケーブル１３ｂを保護することができる。また、保持溝６ｋを設けることで、照明ユニット側ケーブル１３ｂのシャフト６ｃの外周面からの突出量を低減できるため、顕微鏡ユニット５で観察する際の照明ユニット側ケーブル１３ｂによる視野の欠損がほとんど生じないようにしている。即ち保持溝６ｋは、そうした視野の欠損が生じない深さで形成されている。さらに保持溝６ｋには、収容する照明ユニット側ケーブル１３ｂを抜け止めする「係止部」としての押さえ部６ｋ２が、保持溝６ｋの開口側に突出している。
【００５１】
以上のような第１の溝状保持部６ｇと第２の溝状保持部６ｈは、互いに溝の中心軸がＸ方向でずれている。したがって、照明ユニット側ケーブル１３ｂはその中心軸のずれに応じてクランク状に撓ませて配線する必要がある。そのためアーム本体部６ｂとＺ方向で並列に伸長しておりシャフト６ｃの下端を支持する支持フレーム１９には、照明用電源ケーブル１３の変形許容溝１９ａが形成されている。支持フレーム１９とシャフト６ｃは回動軸１８により回動可能であるが、それらがアーム本体部６ｂに対して移動すると、不動状態のアーム本体部６ｂに固定した照明ユニット側ケーブル１３ｂの部分に対して、シャフト６ｃに固定した照明ユニット側ケーブル１３ｂの部分は移動する。こうした場合に、照明ユニット側ケーブル１３ｂは、変形許容溝１９ａの内部でスムーズに撓み変形させることができるので、支持部フレーム１９とシャフト６ｃの回動もスムーズに行うことができる。変形許容溝１９ａの上方には、撓ませた照明ユニット側ケーブル１３ｂの中心軸を第２の溝状保持部６ｈの中心軸と合わせて保持するケーブル保持部１９ｂが設けられている。ケーブル保持部１９ｂには挿通孔が形成されており、照明ユニット側ケーブル１３ｂはそこに挿通されて保持される。
【００５２】
照明ユニット７は、筐体７ａの内部に光源７ｂが配置されている。光源７ｂが発する光は照明光学系７ｃを通じて下方に照射され、途中の反射鏡１７にて反射されて被検眼にスリット光を照射する。照明ユニット７の筐体７ａの下端にはケーブル挿通溝７ｄが設けられており、そこから照明ユニット側ケーブル１３ｂが筐体７ａの内部に導入されて光源７ｂに接続される。ケーブル挿通溝７ｄは挿通した照明ユニット側ケーブル１３ｂが外部に突出しないように収容する。このためその近傍部位にアタッチメントを装着することができる。その一例としては、例えば図９で示すように、光ファイバーを用いて光源７ｂの光を背景照明に用いる光源流用型背景照明装置２０を取付けることができる。
【００５３】
〔細隙灯顕微鏡１の作用・効果〕
次に、説明済みのものを除き、以上のような構造の細隙灯顕微鏡１の作用、効果を説明する。
【００５４】
〔メンテナンス性〕
細隙灯顕微鏡１には、照明用電源ケーブル１３の照明ユニット側ケーブル１３ｂを外部に露出する状態で照明用支持アーム６の外表面に沿って配置する溝状のケーブル保持部６ｆを備えており、照明ユニット側ケーブル１３ｂは照明用支持アーム６の外表面に露出する状態で配線されている。このため照明ユニット側ケーブル１３ｂに断線等の不具合が生じた場合でも容易に交換することが可能であり、メンテナンス性を向上することができる。このときには保護カバー６ｊを取り外し、照明ユニット側ケーブル１３ｂのコネクタ１３ｂ１を基板側ケーブル１３ａのコネクタ１３ａ１から取り外すことで、照明ユニット側ケーブル１３ｂを交換することが可能であり、照明用電源ケーブル１３の全体を交換する必要がない。逆に基板側ケーブル１３ａに不具合がある場合には、基板側ケーブル１３ａのみを取り外して交換することができる。また前述した特許文献１の従来の細隙灯顕微鏡のように、照明用電源ケーブル１３を宙づりに架設して配線する必要がなく、外観が整然としたデザインの細隙灯顕微鏡１を実現することができる。さらに特許文献２の従来の細隙灯顕微鏡のように、照明用電源ケーブルを中空筒状の照明用支持アームの内部空間を挿通させて外部に露出させない配線形態とは異なり、照明ユニット側ケーブル１３ｂが細隙灯顕微鏡１の装置外観に表れてしまう配線形態ではあるものの、前述のようにケーブル保持部６ｆに沿って配線することで、メンテナンス性に優れた状態で整然と配線することができる。
【００５５】
〔配線作業の容易性〕
第１の溝状保持部６ｇに照明ユニット側ケーブル１３ｂを配線する際には、例えば保持プレート６ｊを外側に僅かに撓ませて開口を拡げるようにして照明ユニット側ケーブル１３ｂを押し込むようにする。または照明ユニット側ケーブル１３ｂを段部６ｉに位置決めした後に保持プレート６ｊをアーム本体部６ｂの側面６ｂ１に対してネジ止めにより後付けする。このように第１の溝状保持部６ｇに対して容易に照明ユニット側ケーブル１３ｂを配線することが可能である。また、第２の溝状保持部６ｈである保持溝６ｋに照明ユニット側ケーブル１３ｂを配線する際にも、導入傾斜面６ｋ１に沿わせて緩やかに撓ませつつ保持溝６ｋに押し込むことで照明ユニット側ケーブル１３ｂを容易に配線することができる。
【００５６】
〔顕微鏡用支持アーム４と照明用支持アーム６の回転規制〕
顕微鏡用支持アーム４のケーブル保護筒４ａと照明用支持アーム６のケーブル保護筒６ａは、それぞれ旋回軸１１の可動孔１１ｃに挿入されている。顕微鏡用支持アーム４と照明用支持アーム６は旋回軸１１に対して回転可能であり、その回転に伴ってケーブル保護筒４ａ、６ａも可動孔１１ｃの孔内を回動する。そして、図８（ｂ）（ｃ）で示すように、正面に対して右方向及び左方向に９０°回転した位置にくると、ケーブル保護筒４ａ、６ａが可動孔１１ｃの右端と左端の「回動規制部」としての孔端縁１１ｃ１に対して当接することで、顕微鏡用支持アーム４と照明用支持アーム６のそれ以上の回転が規制される。したがって、回転した顕微鏡ユニット５と照明ユニット７の重量と勢いによって、滑動台ベース３より上に配置されている全体の重心が顎受けユニット８の側、つまり被検者側に移動することがないので、安全に検査を行うことができる。
【００５７】
〔背景照明ユニット１６〕
前記実施形態の顕微鏡用支持アーム４は、被検眼を照らす背景照明ユニット１６を備えている。このため顕微鏡ユニット５で被検眼を観察する正面から背景照明光を均一に照射することができるため、正確な観察を行うことができる。
【００５８】
背景照明ユニット１６は照明用支持アーム６のアーム本体部６ｂの対向位置に配置している。例えば徹照法のように観察方法によっては背景照明を不要とする場合もあり、その場合には背景照明の点灯、消灯を観察者がその都度操作しなければならないが、背景照明が不要な場合には背景照明用光源１６ａが照射する光を照明用支持アーム６によって遮断することができ、観察者が背景照明用光源１６ａをその都度点灯、消灯する煩雑な操作を省略することができ、観察をストレスなくスムーズに行うことができる。
【００５９】
顕微鏡用支持アーム４が中空筒状であり、その中に背景照明用電源ケーブル１４を挿通して配線しているので、照明用電源ケーブル１３と背景照明用電源ケーブル１４とを別々に配線することができ、それぞれメンテナンスを容易に行うことができる。また、背景照明用電源ケーブル１４を顕微鏡用支持アーム４の内部空間に配線しており外部に露出しないので、外観が整然としたデザインの細隙灯顕微鏡１を実現することができる。背景照明ユニット１６や背景照明用電源ケーブル１４のメンテナンスや交換の際には、図２で示すように、顕微鏡用支持アーム４の蓋４ｆ１、４ｆ２を取り外すことで容易に行うことができる。また、背景照明用電源ケーブル１４は、基板側ケーブル１４ａと背景照明ユニット側ケーブル１４ｂとに分かれており、コネクタ１４ａ１，１４ｂ１により着脱可能であるため、それらの一方のみの交換も容易に行うことができる。
【００６０】
〔置き型式トノメータの設置スペースの創出〕
図１０で示すように、本実施形態の細隙灯顕微鏡１の旋回軸１１を収容する筒状収容部９ｂの上には、置き型式トノメータ２１を取付けることができる。置き型式トノメータ２１は、旋回軸１１の軸上にトノメータ２１のプリズム２１ａを配置する必要があるが、製造業者によってトノメータ２１の寸法が異なるため、それぞれのトノメータ２１に合う取付用のアダプタ２１ｂを取付ける必要がある。したがって置き型式トノメータ２１を取付けるにあたっては、旋回軸１１からアーム本体部６ｂまでのスペースを十分確保する必要がある。
【００６１】
この点で、例えば照明用支持アーム６の内部空間に照明ユニット側ケーブル１３ｂを配線すると、顕微鏡支持アーム４や照明用支持アーム６が回転可能であることから、旋回軸１１の内部空間も大きくして照明用電源ケーブル１３に余裕をもたせて配線する必要がある。そうすると旋回軸１１を収容する筒状収容部９ｂとアーム本体部６ｂとの間にスペースを十分に確保することが難しい。これに対して前記実施形態では、照明ユニット側ケーブル１３ｂを配線するケーブル保持部６ｆを設けるようにして、照明用支持アーム６の内部空間に配線しない構成としているため、旋回軸１１を収容する筒状収容部９ｂからアーム本体部６ｂまでのスペースを十分確保することが可能であり、筒状収容部９ｂの上にアダプタ２１ｂと置き型式トノメータ２１とを設置することができる。
【００６２】
〔変形例〕
前記実施形態については変形例による実施が可能であり、以下その一例を説明する。
【００６３】
前記実施形態では第１の溝状保持部６ｇとして段部６ｉと保持プレート６ｊによるものを例示したが、例えば図１１で示す変形例としてもよい。図１１（ａ）の変形例はアーム本体部６ｂの溝側面６ｉ２に照明用電源ケーブル１３（照明ユニット側ケーブル１３ｂ）が入り込む「係止部」としてのＶ溝６ｉ３を形成したものである。図１１（ｂ）も同様に「係止部」としての凹部６ｉ４を形成したものである。それらの変形例の保持プレート６ｊには前記押さえ部６ｊ２は設けていない。以上の変形例でも照明用電源ケーブル１３を確実に第１の溝状保持部６ｇに保持することができる。
【００６４】
前記実施形態では第２の溝状保持部６ｈとして断面台形状の保持溝６ｋを例示したが、例えばその断面形状は図１２で示すような変形例としてもよい。図１２（ａ）は断面円形状の保持溝６ｋであり、図１２（ｂ）は断面角溝状の保持溝６ｋである。いずれの保持溝６ｋにも照明用電源ケーブル１３（照明ユニット側ケーブル１３ｂ）を抜け止めする押さえ部６ｋ２が形成されている。以上の変形例でも照明用電源ケーブル１３を確実に第２の溝状保持部６ｈに保持することができる。
【００６５】
前記実施形態では背景照明ユニット１６として光学系１６ｂを有するものを例示したが、背景照明用光源１６ａの発光の指向性に応じて光学系１６ｂを省略してもよい。
【００６６】
前記実施形態の顕微鏡ユニット５については、図示しないカメラユニットを取付けてもよい。
【符号の説明】
【００６７】
１      細隙灯顕微鏡
２      架台
３      滑動台ベース（支持台）
４      顕微鏡用支持アーム
４ａ    ケーブル保護筒
４ｂ    第１伸長部
４ｃ    屈曲部
４ｄ    第２伸長部
４ｅ    装着部
４ｆ１  蓋
４ｆ２  蓋
５      顕微鏡ユニット
６      照明用支持アーム
６ａ    ケーブル保護筒
６ｂ    アーム本体部
６ｂ１  側面
６ｂ２  接続用空洞部
６ｂ３  連通孔
６ｂ４  蓋
６ｃ    シャフト
６ｄ    シャフト
６ｅ    装着部
６ｆ    ケーブル保持部
６ｇ    第１の溝状保持部
６ｈ    第２の溝状保持部
６ｉ    段部
６ｉ１  溝底面
６ｉ２  溝側面
６ｉ３  Ｖ溝（係止部）
６ｉ４  凹部（係止部）
６ｊ    保持プレート
６ｊ１  溝側面
６ｊ２  押さえ部（係止部）
６ｊ３  スリット
６ｋ    保持溝
６ｋ１  導入傾斜面
６ｋ２  押さえ部（係止部）
７      照明ユニット
７ａ    筐体
７ｂ    光源
７ｃ    照明光学系
７ｄ    ケーブル挿通溝
８      顎受けユニット
９      ベース本体
９ａ    ハウジング
９ｂ    筒状収容部
１０      駆動部
１１      旋回軸
１１ａ    下部取付部
１１ｂ    上部取付部
１１ｃ    可動孔
１１ｃ１  孔端縁（回動規制部）
１１ｄ    ケーブル挿通孔
１２      基板
１３      照明用電源ケーブル
１３ａ    基板側ケーブル
１３ａ１  コネクタ
１３ｂ    照明ユニット側ケーブル
１３ｂ１  コネクタ
１４      背景照明用電源ケーブル
１４ａ    基板側ケーブル
１４ａ１  コネクタ
１４ｂ    背景照明ユニット側ケーブル
１４ｂ１  コネクタ
１５      ジョイスティック
１６      背景照明ユニット
１６ａ    背景照明用光源
１６ｂ    光学系
１７      反射鏡
１８      回動軸
１９      支持フレーム
１９ａ    変形許容溝
１９ｂ    ケーブル保持部
２０      光源流用型背景照明装置
２１      置き型式トノメータ
２１ａ    プリズム
２１ｂ    アダプタ
【図１】
2018189873.tif 000003
【図２】
2018189873.tif 000004
【図３】
2018189873.tif 000005
【図４】
2018189873.tif 000006
【図５】
2018189873.tif 000007
【図６】
2018189873.tif 000008
【図７】
2018189873.tif 000009
【図８】
2018189873.tif 000010
【図９】
2018189873.tif 000011
【図１０】
2018189873.tif 000012
【図１１】
2018189873.tif 000013
【図１２】
2018189873.tif 000014
【国際調査報告】
2018189873.tif 000015
2018189873.tif 000016
2018189873.tif 000017
2018189873.tif 000018